(57)【要約】  動作主体である本体（６１）と、該本体（６１）に電力を供給する第１電源（６３）と、外部から入力される制御信号に応じて該本体（６１）を動作させ、また該第１電源（６３）と該本体（６１）の間の通電状態／非通電状態を切り替えるユニット制御部（６２）と、該ユニット制御部（６２）に電力を供給する第２電源（６４）と、をそれぞれが有する１乃至複数の分析ユニット（１０、２０、３０、４０、６０）と、前記１乃至複数の分析ユニットのそれぞれのユニット制御部に制御信号を送信する本体制御部（５０、７０）とを備える分析装置を提供する。
2020183597.tif 000002
【特許請求の範囲】
【請求項１】
動作主体である本体と、該本体に電力を供給する第１電源と、外部から入力される制御信号に応じて該本体を動作させ、また該第１電源と該本体の間の通電状態／非通電状態を切り替えるユニット制御部と、該ユニット制御部に電力を供給する第２電源と、をそれぞれが有する１乃至複数の分析ユニットと
前記１乃至複数の分析ユニットのそれぞれのユニット制御部に制御信号を送信する本体制御部と
を備える分析装置。
【請求項２】
前記本体制御部は、前記１乃至複数の分析ユニットのユニット制御部に、前記第１電源を非通電状態に切り替える制御信号、及び、前記第１電源を通電状態に切り替える制御信号を送信し、
前記ユニット制御部は、前記本体制御部からの前記第１電源を非通電状態に切り替える制御信号に応答して前記第１電源を非通電状態に切り替え、かつ、前記本体制御部からの前記第１電源を通電状態に切り替える制御信号に応答して前記第１電源を通電状態に切り替える、請求項１に記載の分析装置。
【請求項３】
前記本体制御部が、
前記１乃至複数の分析ユニットのうち、前記第１電源を非通電状態に切り替える対象の分析ユニットを指定する入力を受け付ける設定入力受付部と、
前記設定入力受付部に入力された分析ユニットに対して、前記第１電源を非通電状態に切り替える際に実行すべき所定の処理を記載したシャットダウンメソッドを前記ユニット制御部に設定するシャットダウンメソッド設定部とを備え、
前記ユニット制御部は、前記本体制御部から送信された前記シャットダウンメソッドファイルを受信し、前記シャットダウンメソッドファイルに記載された処理を実行する、
請求項１に記載の分析装置。
【請求項４】
前記本体制御部は、前記１乃至複数の分析ユニットにおいて前記第１電源を非通電状態に切り換える際に実行すべき所定の処理を記憶しており、
該本体制御部は、前記設定入力受付部に入力された分析ユニットに対して、前記第１電源を非通電状態に切り替える際に実行すべき所定の処理を記載したシャットダウンメソッドファイルを作成するシャットダウンメソッドファイル作成部をさらに備え、
前記シャットダウンメソッド設定部は、前記シャットダウンメソッドファイル作成部によって作成された前記シャットダウンメソッドファイルに基づいて前記シャットダウンメソッドを前記ユニット制御部に設定する、請求項３に記載の分析装置。
【請求項５】
前記本体制御部は、前記設定入力受付部に入力された分析ユニットに対する、前記第１電源を非通電状態に切り替える際の所定の処理のうち、実行に最も長時間を要する所定の処理の所要時間を表示部に表示させる表示制御部をさらに備える、請求項３に記載の分析装置。
【請求項６】
前記本体制御部は、前記ユニット制御部が前記シャットダウンメソッドファイルに記載された処理の実行を開始してから所定時間経過した後、前記設定入力受付部に入力された分析ユニットのユニット制御部に、前記第１電源を非通電状態に切り替える制御信号を送信し、
前記ユニット制御部は、前記本体制御部からの前記第１電源を非通電状態に切り替える制御信号に応答して前記第１電源を非通電状態に切り替える、請求項３に記載の分析装置。
【請求項７】
前記分析装置が液体クロマトグラフであり、
前記分析ユニットとして、送液ユニット、オートサンプラ、カラムオーブン、検出ユニットの少なくとも１つを含み、
前記送液ユニットの前記所定の処理が移動相の送液停止を含む、又は
前記オートサンプラの前記所定の処理が温調停止を含む、又は、
前記カラムオーブンの前記所定の処理が温調停止を含み、又は、
前記検出ユニットの前記所定の処理がランプ消灯又は温調停止を含む、請求項３に記載の分析装置。
【請求項８】
前記本体制御部が、前記１乃至複数の分析ユニットに対する制御信号をそのまま、各分析ユニットに送信し、
前記ユニット制御部は、受信した制御信号のうち、当該分析ユニットに関する制御信号に対応する処理を実行する、請求項１に記載の分析装置。
【発明の詳細な説明】
【技術分野】
【０００１】
本発明は、クロマトグラフ装置等の分析装置に関する。
【背景技術】
【０００２】
試料中の成分を同定したり定量したりするために、液体クロマトグラフが広く用いられている。液体クロマトグラフでは、試料中の成分をカラムで分離し、各成分を検出する。液体クロマトグラフでは、所定の流量で送液される移動相の流れに乗せて試料をカラムに導入し、試料中の複数の化合物を分離して測定する。【０００３】
液体クロマトグラフには、一体型のものと、複数のユニット（モジュールとも呼ばれる。）を組み合わせてなるユニット型のものがある。一体型の液体クロマトグラフは、分析動作の主体である本体と、該本体を動作させるための制御信号を送信するシステムコントローラと、本体及びシステムコントローラに電力を供給する電源とを一体で構成したものである。【０００４】
ユニット型の液体クロマトグラフは、移動相が貯留された移動相容器や移動相を吸引して送給するポンプを備えた送液ユニット、移動相中に試料液を注入するインジェクタを備えたオートサンプラ、試料液に含まれる成分を分離するカラムを収容したカラムオーブン、カラムから溶出する成分を検出する検出器を備えた検出ユニット、及びシステムコントローラを備えたものである。送液ユニット、オートサンプラ、カラムオーブン、及び検出ユニットは、それぞれ独立した分析ユニットであり、各ユニットは、本体、ユニット制御部、及びそれらに電力を供給する電源を備えている。ユニット型の液体クロマトグラフでは、分析目的に応じて分析ユニットの組み合わせを変更したり、分析ユニットを更新したりすることができる。【０００５】
一体型の液体クロマトグラフには、分析終了時にシャットダウン状態に移行させることが可能なものがある（例えば特許文献１）。シャットダウン状態とは、本体への通電を停止し、システムコントローラへの通電のみを維持した状態である。例えば、分析を終了した後、しばらくの間、次の分析を行う予定がない場合に、使用者がシステムコントローラにシャットダウン状態への移行を指示する入力操作を行うと、システムコントローラから電源に、本体への通電停止を指示する制御信号が送信されて通電が停止される。使用者がシステムコントローラにシャットダウン状態を解除する入力操作を行うと、システムコントローラから電源に、本体への通電再開を指示する制御信号が送信されて電力の供給が再開される。分析終了時にシャットダウン状態へと移行することにより、分析待機中の消費電力が抑えられる。
【先行技術文献】
【特許文献】
【０００６】
【特許文献１】国際公開第２０１５／１９８３８９号
【発明の概要】
【発明が解決しようとする課題】
【０００７】
ユニット型の液体クロマトグラフでも、システムコントローラから各分析ユニットのユニット制御部に対して制御信号を送信することにより、各分析ユニットの電源を切ることが可能である。しかし、分析ユニットの電源を切るとユニット制御部への通電が停止し、ユニット制御部が動作しなくなるため、使用者がシステムコントローラから或る分析ユニットへの通電を再開しようとして入力操作を行っても、その分析ユニットの本体を動作させることはできない。そのため、従来、ユニット型の液体クロマトグラフでは、分析待機中も各分析ユニットにおいて通電を維持しなければならず、消費電力を抑えることが難しいという問題があった。【０００８】
ここでは液体クロマトグラフを一例に従来技術の課題を説明したが、ユニット型のガスクロマトグラフや、その他の各種のユニット型の分析装置においても上記同様の問題があった。【０００９】
本発明が解決しようとする課題は、制御部による制御の下で１乃至複数の分析ユニットを動作させて所定の分析動作を実行するユニット型の分析装置において、該制御部から設定及び解除可能であり、かつ消費電力を抑えたシャットダウン状態を実現することである。
【課題を解決するための手段】
【００１０】
上記課題を解決するために成された本発明に係る分析装置は、
動作主体である本体と、該本体に電力を供給する第１電源と、外部から入力される制御信号に応じて該本体を動作させ、また該第１電源と該本体の間の通電状態／非通電状態を切り替えるユニット制御部と、該ユニット制御部に電力を供給する第２電源と、をそれぞれが有する１乃至複数の分析ユニットと
前記１乃至複数の分析ユニットのそれぞれのユニット制御部に制御信号を送信する本体制御部と
を備える。
【発明の効果】
【００１１】
本発明に係る分析装置は、１乃至複数の分析ユニットと本体制御部を備えている。各分析ユニットは、動作主体である本体と、本体に電力を供給する第１電源と、本体を動作させるとともに第１電源と本体の間の通電状態／非通電状態を切り替えるユニット制御部と、ユニット制御部に電力を供給する第２電源を備えている。本体制御部から各ユニットに分析動作を指示する制御信号が入力されると、各分析ユニットのユニット制御部は第１電源から本体に通電し（通電状態）、該本体を動作可能な状態とする（分析状態）。そして、ユニット制御部は本体制御部からの制御信号に応じて本体を動作させる。一方、本体制御部から各ユニットに分析待機を指示する制御信号が入力されると、各分析ユニットのユニット制御部は第１電源から本体への通電を停止し、非通電状態（シャットダウン状態）とする。このように、本発明に係る分析装置では、本体制御部への入力操作により分析ユニットのユニット制御部に所定の制御信号を送信することによってシャットダウン状態を設定することができる。このシャットダウン状態では第１電源から本体への通電が停止されるため、消費電力を抑えることができる。
一方、シャットダウン状態でも分析ユニット内で第２電源からユニット制御部への通電は維持されるため、本体制御部から分析ユニットのユニット制御部に所定の制御信号を送信することによってシャットダウン状態を解除することができる。
【図面の簡単な説明】
【００１２】
【図１】本発明に係る分析装置の一実施形態である液体クロマトグラフの要部構成図。
【図２】本実施例の液体クロマトグラフを構成するユニットについて説明する図。
【図３】本実施例の液体クロマトグラフが有する分析ユニットの構成を説明する図。
【図４】本実施例においてシャットダウン状態に移行させる分析ユニットを設定する画面の表示例。
【図５】本実施例においてシャットダウン状態に移行する流れを説明するフローチャート。
【図６】本実施例においてシャットダウン状態を解除する流れを説明するフローチャート
【図７】変形例の液体クロマトグラフが有する分析ユニットの構成を説明する図。
【図８】変形例においてシャットダウン状態に移行させる分析ユニットを設定する画面の表示例。
【発明を実施するための形態】
【００１３】
本発明に係る分析装置の実施例について、以下、図面を参照して説明する。本実施例の分析装置は液体クロマトグラフである。
【００１４】
図１は、本実施例の液体クロマトグラフ１の要部構成図である。この液体クロマトグラフ１は、送液ユニット１０、オートサンプラ２０、カラムオーブン３０、検出ユニット４０、システムコントローラ５０、及び制御・処理部７０を備えている。図２に示すように、送液ユニット１０、オートサンプラ２０、カラムオーブン３０、及び検出ユニット４０はそれぞれ独立した筐体に収容された分析ユニットである。分析ユニット間は送液用の流路８０で接続されている。制御・処理部７０とシステムコントローラ５０の間、及びシステムコントローラ５０と各分析ユニットの間は通信ケーブル９０で接続されている。
【００１５】
送液ユニット１０は、移動相の溶液を収容した容器１１ａ、１１ｂと、該容器１１ａ、１１ｂ内の溶液を送液する送液ポンプ１２ａ、１２ｂと、２種類の溶液を混合するミキサー１３とを含んでいる。カラムオーブン３０にはカラム３１が収容されている。
【００１６】
送液ユニット１０で調製された移動相は、オートサンプラ２０を経てカラムオーブン３０内の複数のカラム３１に導入される。オートサンプラ２０には、予め１乃至複数の分析対象の液体試料がセットされている。オートサンプラ２０の内部は液体試料が揮発したり変質したりするのを防止するために、温調機構２１（典型的にはクーラー）によって所定の温度に維持されている。オートサンプラ２０では、その内部にセットされた１乃至複数の分析対象の液体試料が順次、移動相に注入される。移動相に注入された液体試料は移動相の流れに乗ってカラム３１を通過する。
【００１７】
カラムオーブン３０は、内部にカラム３１と、該カラム３１の温調機構３２（典型的にはヒータ）を備えている。カラム３１を通過する間に試料中の各成分が時間的に分離され、カラム３１から溶出した成分は検出ユニット４０に順次導入される。
【００１８】
本実施例の検出ユニット４０はＵＶ検出器であり、フローセル４１、ランプ４２、及び分光検出部４３を備えている。検出ユニット４０では、ランプ４２を点灯した状態で、カラム３１から溶出した成分を順次、フローセル４１に流入させ、フローセル４１を通過した光の強度を測定する。また、検出ユニット４０の内部を温調する温調機構４４（典型的にはヒータ）を備えている。
【００１９】
制御・処理部７０は、記憶部７１に加え、機能ブロックとして、設定入力受付部７２、メソッドファイル作成部７３、及び制御実行部７４を備えている。記憶部７１には、分析ユニット毎に、シャットダウン時の処理とウォームアップ時の処理をそれぞれ実行するためにシステムコントローラ５０に送信するコマンド、及び各処理の所要時間の情報が保存されている。記憶部７１には、試料の測定条件を記載した分析メソッドファイルや、試料の測定時に取得したデータ、あるいはその解析結果なども保存される。制御・処理部７０の実体はパーソナルコンピュータであり、コンピュータに予めインストールされている所定のプログラムを実行することにより上記の機能ブロックが具現化される。制御・処理部７０には、キーボードやマウスを含む入力部７５と表示部７６が接続されている。
【００２０】
図３は各分析ユニット６０の構成を示すブロック図である。以降の説明では、送液ユニット１０、オートサンプラ２０、カラムオーブン３０、検出ユニット４０に共通の事項を説明する場合に、これらを分析ユニット６０と記載する。各分析ユニットは、本体６１と、ユニット制御部６２と、第１電源６３と、第２電源６４とを備えている。本体６１は、分析ユニット６０の動作主体にあたる部分であり、例えば送液ユニット１０の場合、移動相を送液する送液ポンプ１２ａ、１２ｂやミキサー１３が本体６１に含まれる。オートサンプラ２０の場合、オートサンプラ２０の温調機構２１や、試料を採取するサンプリングニードルの駆動部（図示略）などが本体６１に含まれる。カラムオーブン３０の場合、カラム３１を温調する温調機構３２が本体６１に含まれる。検出ユニット４０の場合、ランプ４２の駆動源、分光検出部４３の駆動源、及び検出ユニット４０の温調機構が本体６１に含まれる。
【００２１】
本体６１には第１電源６３から電力が供給される。本実施例における第１電源６３は出力２４Ｖの電源であり、第２電源６４は出力５Ｖの電源である。これらの出力の大きさは本体６１及びユニット制御部６２の実体に応じて適宜に決めればよい。後述のとおり、ユニット制御部６２の実体はプロセッサ等であるため、第２電源６４には第１電源６３よりも出力の小さいものを使用することができる。
【００２２】
ユニット制御部６２は、プロセッサとメモリを有しており、プロセッサが本体６１の動作を司る。プロセッサはまた、第１電源６３と本体６１の間の通電状態／非通電状態を切り替える。ユニット制御部６２には第２電源６４から電力が供給される。
【００２３】
次に、図４及び図５を参照し、本実施例の液体クロマトグラフ１において、分析終了時に液体クロマトグラフ１をシャットダウン状態へと移行させる手順及び処理の内容を説明する。シャットダウン状態とは、一部又は全部の分析ユニット６０において第１電源６３から本体６１への通電を停止した状態をいう。
【００２４】
使用者が入力部７５を通じた所定の操作によりシャットダウン状態への移行を指示すると、設定入力受付部７２は、使用者にシャットダウン状態に移行させる分析ユニット６０を選択させる画面を表示部７６に表示する。
【００２５】
図４は設定入力受付部７２により表示される画面の一例である。この画面には、分析ユニットの名称と、シャットダウン状態に移行させる際に実行すべき動作（例えば、液体クロマトグラフ１のシャットダウン状態において停止する動作）が記載されている。具体的には、例えば、送液ユニット１０では、送液ポンプ１２ａ、１２ｂによる移動相の送液を停止することが可能である。オートサンプラ２０では、温調機構２１による内部の温調を停止することが可能である。カラムオーブン３０では、温調機構３２によるカラム３１の温調を停止することが可能である。検出ユニット４０では、ランプ４２を消灯し、温調機構４４による検出ユニット４０内の温調を停止することが可能である。図４では、送液ユニット１０、カラムオーブン３０、及び検出ユニット４０の動作を停止させ、オートサンプラ２０のみ温調を継続するようにシャットダウン状態が設定されている。これは、オートサンプラ２０の温調機構２１のみを動作させておき試料の揮発や変質を防止する目的で設定された例である。その他、例えば次の分析を行うまでの時間が比較的短い場合には送液ユニット１０の動作のみを停止するように設定することもできる。
【００２６】
使用者が表示部７６に表示された分析ユニットの中から、シャットダウン時に動作を停止させる分析ユニットのチェックボックスにチェックを入れると、メソッドファイル作成部７３は、チェックが入れられた分析ユニットの動作を停止させるコマンドを記憶部７１から読み出して、シャットダウン処理を実行するメソッドファイル（シャットダウンメソッドファイル）を作成し（ステップ１）、記憶部７１に保存する。また、使用者が分析ユニット６０のチェックボックスにチェックを入れると、設定入力受付部７２は、チェックされた分析ユニット６０のシャットダウンのための前処理（クールダウン）の所要時間を記憶部７１から読み出す。そして、読み出した時間の中で最も長いものを画面上部の「クールダウン時間」欄に表示する。
【００２７】
ここでは、使用者に、シャットダウン時に停止する分析ユニットを選択させてシャットダウンメソッドファイルを作成する場合を例に説明したが、同じ内容のシャットダウンの前処理（クールダウン）の内容が記載されたシャットダウンメソッドファイルが記憶部７１に既に保存されている場合は、そのファイルを読み出すのみでもよい。
【００２８】
メソッドファイル作成部７３によりシャットダウンメソッドファイルが作成される（あるいは記憶部７１から読み出される）と、制御実行部７４は、システムコントローラ５０にシャットダウンメソッドを設定する（ステップ２）。システムコントローラ５０にシャットダウンメソッドが設定されると、制御実行部７４は、表示部７６にシャットダウンを実行するボタンを表示する。
【００２９】
システムコントローラ５０は、シャットダウンメソッドが設定されると、各分析ユニット６０のユニット制御部６２にシャットダウンメソッドを設定する（ステップ３）。本実施例では、シャットダウンメソッドに記載されている動作が複数の分析ユニット６０の動作に関する内容を含んでいる場合でも、それらを分析ユニット６０毎に分割することなく、そのまま各分析ユニット６０に送信（ブロードキャスト）する。分析ユニット６０では、ユニット制御部６２が、受信したメソッドのうち、当該分析ユニット６０に対応する部分を抽出しメモリに保持する。
【００３０】
使用者が、表示部７６に表示されたシャットダウン実行ボタンを押すと、制御実行部７４はシステムコントローラ５０にシャットダウンメソッドの実行を指示する（ステップ４）。ここでいうシャットダウンメソッドの実行とは、シャットダウンそのものを行うわけではなく、いわゆるシャットダウン前に必要なクールダウン（シャットダウンの前処理）を実行することを意味する。クールダウンとは、例えば送液ユニット１０の場合、送液ポンプ１２ａ、１２ｂによる移動相の送液流量を徐々に下げて０にする処理である。また、オートサンプラ２０やカラムオーブン３０の場合、温調機構２１、３２への出力を徐々に下げて０にする処理である。即ち、各分析ユニット６０において第１電源６３から本体６１への通電を停止しても問題が発生しない状態に移行する処理である。
【００３１】
システムコントローラ５０は、シャットダウンメソッドの実行指示を受けると、各分析ユニット６０に対してシャットダウンメソッドの実行を指示する（ステップ５）。
【００３２】
各分析ユニット６０では、シャットダウンメソッドの実行指示を受けると、ユニット制御部６２は、本体６１のクールダウンを開始する。
【００３３】
制御実行部７４は、使用者によりシャットダウン実行ボタンが押されてからの経過時間をモニタリングし、所定時間が経過したか否かを判定する（ステップ６）。この所定時間は、シャットダウンメソッドを作成する際に表示部７６の画面に表示されていた時間、即ち、各分析ユニット６０におけるクールダウンに要する時間のうちの最長の時間である。あるいはそれに所定の時間（各部の間の通信に要する時間等を考慮した時間）を追加した時間としてもよい。
【００３４】
制御実行部７４は、所定時間が経過すると（ステップ６でＹＥＳ）、システムコントローラ５０にシャットダウンの実行を指示する（ステップ７）。システムコントローラ５０はシャットダウンの実行指示を受けると、各分析ユニット６０にシャットダウンの実行を指示する（ステップ８）。また、制御実行部７４は、表示部７６にシャットダウン解除を指示するボタンを表示する。
【００３５】
各分析ユニット６０では、シャットダウンの実行指示を受けると、ユニット制御部６２は、第１電源６３から本体６１への通電を停止する。こうして、シャットダウン状態への移行が完了する。シャットダウン状態においても第２電源６４からユニット制御部６２への通電は維持される。
【００３６】
本実施例の液体クロマトグラフでは、分析終了時など、その後、しばらく分析を行わない場合に上記の手順でシャットダウン状態へと移行することにより、各分析ユニット６０において第１電源６３から本体６１への通電が停止される。そのため、分析待機中の消費電力を抑えることができる。また、シャットダウン状態にあっても、各分析ユニット６０では、第２電源６４からユニット制御部６２への通電が維持されており、システムコントローラ５０と通信可能となっている。従って、制御・処理部７０からシャットダウン状態を解除する操作を行うことにより、システムコントローラ５０を介して各分析ユニット６０のシャットダウン状態を解除することができる。
【００３７】
次に、図６を用いてシャットダウン状態を解除する手順を説明する。
【００３８】
使用者が、表示部７６に表示されたシャットダウン解除ボタンを押すと、制御実行部７４はシステムコントローラ５０にスタートアップ処理の開始を指示する（ステップ１１）。スタートアップ処理とは、各分析ユニット６０を分析可能な状態（スタンバイ状態）へと移行する処理（オートパージやウォームアップ）をいう。オートパージとは、液体クロマトグラフ１内の流路に移動相を流通させてカラム３１を平衡化する処理である。
【００３９】
システムコントローラ５０は、スタートアップ処理の開始指示を受けると、各分析ユニット６０に対してスタートアップ処理の開始を指示する（ステップ１２）。
【００４０】
各分析ユニット６０では、スタートアップ処理の開始指示を受けると、ユニット制御部６２が、第１電源６３から本体６１への通電を再開する（本体６１への通電を停止していた場合）。ユニット制御部６２はさらに、本体６１への通電再開後、本体のオートパージ／ウォームアップを実行する。具体的には、送液ユニット１０では、送液ポンプ１２ａ、１２ｂによる移動相の送液量を、予め決められた流量まで段階的に上昇させる。オートサンプラ２０では、筐体内部が所定の温度となるように温調を開始する。カラムオーブン３０では、カラム３１が所定の温度となるように温調を開始する。検出ユニット４０では、ランプ４２を点灯させるとともに、検出ユニット４０が所定の温度となるように温調を開始する。
【００４１】
制御実行部７４は、使用者によりシャットダウン解除ボタンが押されてからの経過時間をモニタリングし、所定時間が経過したか否かを判定する（ステップ１３）。この所定時間は、各分析ユニットにおいて上記のオートパージ／ウォームアップに要する時間のうちの、最長の時間である。
【００４２】
以上の各ステップを経て、液体クロマトグラフ１のシャットダウン状態が解除され、分析可能な状態となる。
【００４３】
なお、制御・処理部７０はソフトウェアにより作成された画面でシャットダウン状態の設定の詳細等を容易に設定及び確認するために用いられるものであり、本発明に必須の構成ではない。制御・処理部７０を用いない場合には、使用者はシステムコントローラ５０において、液体クロマトグラフ１のシャットダウン状態の設定／解除に係る操作を行えばよい。
【００４４】
次に、変形例の液体クロマトグラフについて説明する。上記実施例の液体クロマトグラフでは、全ての分析ユニット６０が、図３に示す構成を有していたが、変形例では一部の分析ユニット１００が図７に示す構成を有している。即ち、一部の分析ユニット１００は、本体１０１とユニット制御部１０２に共通の第１電源１０３のみを有している。分析ユニット１００は、例えば分析ユニット６０よりも旧型のものであり、また、そのユニット制御部１０２は当該分析ユニットに対するコマンドのみを処理することが可能（ブロードキャストに非対応）である。
【００４５】
変形例の液体クロマトグラフでは、分析ユニット６０、１００をシステムコントローラ５０に接続すると、システムコントローラ５０は接続された分析ユニット６０、１００の型を判定する。例えば、システムコントローラ５０から、分析ユニット６０においてのみ処理可能なコマンドを各分析ユニット６０、１００に送信し、コマンドに対する反応（応答の有無）に基づいて分析ユニットの型を判定する。システムコントローラ５０は分析ユニットの型の判定結果を制御・処理部７０に送信する。制御・処理部７０では、分析ユニット６０、１００の型の情報を記憶部７１に保存する。以下、検出ユニット４０が旧型の分析ユニット１００である場合を一例として、上記実施例と異なる点を説明する。
【００４６】
変形例の液体クロマトグラフにおいても、使用者が入力部７５を通じた所定の操作によりシャットダウン状態への移行を指示すると、設定入力受付部７２は、動作を停止させる分析ユニット６０を使用者に選択させる画面を表示部７６に表示する。ただし、表示される画面の内容が上記実施例（図４）とは一部異なる。
【００４７】
図８は、変形例において設定入力受付部７２により表示される画面の一例である。この画面にも、分析ユニットの名称と、シャットダウン状態への移行時に停止することが可能な動作が、チェックボックスとともに表示されている。ただし、旧型の分析ユニット１００である検出ユニット４０では、第１電源１０３からの通電を停止するとユニット制御部１０２の動作が停止してしまい、制御・処理部７０やシステムコントローラ５０から当該分析ユニット１００のシャットダウン状態を解除することができなくなる。そのため、検出ユニット４０については、チェックボックスにチェックを入力することができないようになっている。
【００４８】
メソッドファイル作成部７３によりシャットダウンメソッドファイルが作成されると、制御実行部７４はシステムコントローラ５０にシャットダウンメソッドを設定する。シャットダウンメソッドが設定されると、システムコントローラ５０では、検出ユニット４０に対してスリープ状態への移行を指示するコマンドを、他の分析ユニット６０（送液ユニット１０、オートサンプラ２０、及びカラムオーブン３０）に対するコマンドから切り分けて送信（ユニキャスト）する。他の分析ユニット６０に対しては、上記実施例と同様に、設定されたシャットダウンメソッドの内容をそのまま送信（ブロードキャスト）する。検出ユニット４０はコマンドを受信すると表示部を消灯（スリープ状態に移行）する。また、オートパージ／スタートアップを行う場合にも、検出ユニット４０に対するコマンドのみを他の分析ユニットに対するコマンドから分離して送信し、検出ユニット４０のスリープ状態を解除する。
【００４９】
上記実施例及び変形例はいずれも一例であって、本発明の趣旨に沿って適宜に変更することができる。
【００５０】
上記実施例及び変形例はいずれも液体クロマトグラフとしたが、他のユニット型の分析装置においても上記同様に構成することができる。
【００５１】
制御・処理部７０を有しない分析装置の場合、シャットダウン状態の設定／解除に係る操作を容易にするために、システムコントローラ５０の画面上に表示される所定のボタンを押すことにより予め決められた分析ユニットをシャットダウン状態に移行させ、またそれらのシャットダウン状態を解除するように構成することができる。
【００５２】
システムコントローラ５０が画面を有しないものである場合には、システムコントローラ５０の電源を切る場合は電源ボタンを長く押すような設定としておき、システムコントローラ５０の電源ボタンを短く押すことによって予め決められた分析ユニットをシャットダウン状態に移行させ、またそれを解除するように構成することもできる。あるいは、システムコントローラ５０と特定の分析ユニット６０（例えば送液ユニット１０）に予め連携機能を持たせておき、その分析ユニット６０において所定の操作（例えば送液ポンプ１２ａ、１２ｂの電源ボタンを押す）ことにより、予め決められた分析ユニット６０に対するシャットダウン状態の設定／解除を行うようにしてもよい。
【００５３】
［態様］
上述した複数の例示的な実施形態は、以下の態様の具体例であることが当業者により理解される。
【００５４】
（第１態様）
本発明の第１態様に係る分析装置は、
動作主体である本体と、該本体に電力を供給する第１電源と、外部から入力される制御信号に応じて該本体を動作させ、また該第１電源と該本体の間の通電状態／非通電状態を切り替えるユニット制御部と、該ユニット制御部に電力を供給する第２電源と、をそれぞれが有する１乃至複数の分析ユニットと
前記１乃至複数の分析ユニットのそれぞれのユニット制御部に制御信号を送信する本体制御部と
を備える。
【００５５】
第１態様の分析装置は、１乃至複数の分析ユニットと本体制御部を備えている。各分析ユニットは、動作主体である本体と、本体に電力を供給する第１電源と、本体を動作させるとともに第１電源と本体の間の通電状態／非通電状態を切り替えるユニット制御部と、ユニット制御部に電力を供給する第２電源を備えている。本体制御部から各ユニットに分析動作を指示する制御信号が入力されると、各分析ユニットのユニット制御部は第１電源から本体に通電し、該本体を動作可能状態とする（分析状態）。そして、ユニット制御部は本体制御部からの制御信号に応じて本体を動作させる。一方、本体制御部から各ユニットに分析待機を指示する制御信号が入力されると、各分析ユニットのユニット制御部は第１電源から本体への通電を停止し、非通電状態（シャットダウン状態）とする。このように、本発明に係る分析装置では、本体制御部への入力操作により分析ユニットのユニット制御部に所定の制御信号を送信することによってシャットダウン状態を設定することができる。このシャットダウン状態では第１電源から本体への通電が停止されるため、消費電力を抑えることができる。
一方、シャットダウン状態でも分析ユニット内で第２電源からユニット制御部への通電は維持されるため、本体制御部から分析ユニットのユニット制御部に所定の制御信号を送信することによってシャットダウン状態を解除することができる。
【００５６】
（第２態様）
【００５７】
本発明の第２態様に係る分析装置は、上記第１態様の分析装置において、
前記本体制御部は、前記１乃至複数の分析ユニットのユニット制御部に、前記第１電源を非通電状態に切り替える制御信号、及び、前記第１電源を通電状態に切り替える制御信号を送信し、
前記ユニット制御部は、前記本体制御部からの前記第１電源を非通電状態に切り替える制御信号に応答して前記第１電源を非通電状態に切り替え、かつ、前記本体制御部からの前記第１電源を通電状態に切り替える制御信号に応答して前記第１電源を通電状態に切り替える。
【００５８】
第２態様の分析装置では、本体制御部から１乃至複数の分析ユニットのユニット制御部に、前記第１電源を非通電状態に切り替える制御信号、及び、前記第１電源を通電状態に切り替える制御信号を送信し、ユニット制御部はそれらの制御信号に従って第１電源の非通電状態と通電状態を切り替える。第２態様の分析装置では、本体制御部から分析ユニットのユニット制御部に対し、第１電源を非通電状態に切り替える制御信号、及び、前記第１電源を通電状態に切り替える制御信号をそれぞれ送信し、ユニット制御部はそれぞれの制御信号に応答して動作するため、ユニット制御部において制御信号の読み替えや変換などの処理を行う必要がなく、該ユニット制御部を簡素に構成することができる。
【００５９】
（第３態様）
【００６０】
本発明の第３態様に係る分析装置は、上記第１態様又は第２態様の分析装置において、
前記本体制御部が、
前記１乃至複数の分析ユニットのうち、前記第１電源を非通電状態に切り替える対象の分析ユニットを指定する入力を受け付ける設定入力受付部と、
前記設定入力受付部に入力された分析ユニットに対して、前記第１電源を非通電状態に切り替える際に実行すべき所定の処理を記載したシャットダウンメソッドを前記ユニット制御部に設定するシャットダウンメソッド設定部とを備え、
前記ユニット制御部は、前記本体制御部から送信された前記シャットダウンメソッドファイルを受信し、前記シャットダウンメソッドファイルに記載された処理を実行する。
【００６１】
第３態様の分析装置では、分析ユニット単位で選択的にシャットダウン状態に移行させることができる。例えば、液体クロマトグラフでは、送液ユニットの第１電源から送液ポンプへの通電を開始してから所定の流量で移動相を送液するまでに要する時間が短い一方、カラムオーブンや検出ユニットの第１電源から温調機構への通電を開始してから対象部の温度が安定化するには時間がかかる。第３態様の分析装置では、分析ユニットによってウォームアップに要する時間が異なる場合に、所要時間が短いもののみをシャットダウン状態に移行させる等の柔軟な運用が可能となる。なお、上記実施例では、制御実行部７４とシステムコントローラ５０によって上記シャットダウンメソッド設定部の機能が実行される。
【００６２】
（第４態様）
本発明の第４態様の分析装置は、上記第３態様の分析装置において、
前記本体制御部は、前記１乃至複数の分析ユニットにおいて前記第１電源を非通電状態に切り換える際に実行すべき所定の処理を記憶しており、
該本体制御部は、前記設定入力受付部に入力された分析ユニットに対して、前記第１電源を非通電状態に切り替える際に実行すべき所定の処理を記載したシャットダウンメソッドファイルを作成するシャットダウンメソッドファイル作成部をさらに備え、
前記シャットダウンメソッド設定部は、前記シャットダウンメソッドファイル作成部によって作成された前記シャットダウンメソッドファイルに基づいて前記シャットダウンメソッドを前記ユニット制御部に設定する。
【００６３】
第４態様の分析装置では、分析ユニットにおいて第１電源を非通電状態に切り替える際に実行すべき所定の処理が本体制御部に記憶されており、また、本体制御部は、設定入力受付部に入力された分析ユニットに対して、第１電源を非通電状態に切り替える際に実行すべき所定の処理を記載したシャットダウンメソッドファイルを作成するメソッドファイル作成部を有している。そのため、設定入力受付部に分析ユニットが入力された時点で、入力された分析ユニットの組み合わせに応じたシャットダウンメソッドファイルをその都度、作成することができる。従って、分析ユニットの全ての組み合わせに対応するシャットダウンメソッドファイルを事前に用意しておく必要がない。
【００６４】
（第５態様）
本発明の第５態様の分析装置は、上記第３態様又は第４態様の分析装置において、
前記本体制御部は、前記設定入力受付部に入力された分析ユニットに対する、前記第１電源を非通電状態に切り替える際の所定の処理のうち、実行に最も長時間を要する所定の処理の所要時間を表示部に表示させる表示制御部をさらに備える。
【００６５】
一般に、第１電源を非通電状態に切り換える際に実行すべき所定の処理に要する時間は分析ユニットごとに異なる。第５態様の分析装置では、表示部を確認するのみで、設定入力受付部に入力された各分析ユニットにおいて第１電源を非通電状態に切り替える際の所定の処理のうち、実行に最も長時間を要する所定の処理の所要時間を簡便に把握することができる。なお、上記実施例では、設定入力受付部７２によって上記表示制御部の機能が実行される。
【００６６】
（第６態様）
本発明の第６態様の分析装置は、上記第３態様から第５態様のいずれかの分析装置において、
前記本体制御部は、前記ユニット制御部が前記シャットダウンメソッドファイルに記載された処理の実行を開始してから所定時間経過した後、前記設定入力受付部に入力された分析ユニットのユニット制御部に、前記第１電源を非通電状態に切り替える制御信号を送信し、
前記ユニット制御部は、前記本体制御部からの前記第１電源を非通電状態に切り替える制御信号に応答して前記第１電源を非通電状態に切り替える。
【００６７】
第６態様の分析装置では、ユニット制御部が前記シャットダウンメソッドファイルに記載された処理を実行開始してから所定時間経過した後、第１電源が非通電状態に切り替えられる。例えば、この所要時間を、設定入力受付部に入力された各分析ユニットに対する、前記第１電源を非通電状態に切り替える際の所定の処理のうち、実行に最も長時間を要する所定の処理の所要時間、あるいはそれ以上の時間としておくことにより、分析ユニットにおける上記所定の処理を確実に終了させ、かつそれらの分析ユニットの第１電源を自動的に非通電状態に切り替えることができる。
【００６８】
（第７態様）
本発明の第７態様の分析装置は、上記第３態様から第６態様のいずれかの分析装置において、
前記分析装置が液体クロマトグラフであり、
前記分析ユニットとして、送液ユニット、オートサンプラ、カラムオーブン、検出ユニットの少なくとも１つを含み、
前記送液ユニットの前記所定の処理が移動相の送液停止を含む、又は
前記オートサンプラの前記所定の処理が温調停止を含む、又は、
前記カラムオーブンの前記所定の処理が温調停止を含み、又は、
前記検出ユニットの前記所定の処理がランプ消灯又は温調停止を含む。
【００６９】
第７態様の分析装置は、分析ユニットとして、送液ユニット、オートサンプラ、カラムオーブン、検出ユニットの少なくとも１つを含む液体クロマトグラフであり、各分析ユニットに特有の上記所定の処理を適宜に組み合わせて用いることができる。
【００７０】
（第８態様）
本発明の第８態様の分析装置は、上記第１態様から第７態様のいずれかの分析装置において、
前記本体制御部が、前記１乃至複数の分析ユニットに対する制御信号をそのまま、各分析ユニットに送信し、
前記ユニット制御部は、受信した制御信号のうち、当該分析ユニットに関する制御信号に対応する処理を実行する。
【００７１】
第８態様の分析装置では、分析ユニットごとに制御信号を分割する処理が不要となるため、シャットダウン状態への移行時間を短縮することができる。
【符号の説明】
【００７２】
１…液体クロマトグラフ
１０…送液ユニット
１１ａ、１１ｂ…容器
１２ａ、１２ｂ…送液ポンプ
１３…ミキサー
２０…オートサンプラ
２１…温調機構
３０…カラムオーブン
３１…カラム
３２…温調機構
４０…検出ユニット
４１…フローセル
４２…ランプ
４３…分光検出部
４４…温調機構
５０…システムコントローラ
６０、１００…分析ユニット
６１、１０１…本体
６２、１０２…ユニット制御部
６３、１０３…第１電源
６４…第２電源
７０…制御・処理部
７１…記憶部
７２…設定入力受付部
７３…メソッドファイル作成部
７４…制御実行部
７５…入力部
７６…表示部
８０…流路
９０…通信ケーブル
【図１】
2020183597.tif 000003
【図２】
2020183597.tif 000004
【図３】
2020183597.tif 000005
【図４】
2020183597.tif 000006
【図５】
2020183597.tif 000007
【図６】
2020183597.tif 000008
【図７】
2020183597.tif 000009
【図８】
2020183597.tif 000010
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
動作主体である本体と、該本体に電力を供給する第１電源と、外部から入力される制御信号に応じて該本体を動作させ、また該第１電源と該本体の間の通電状態／非通電状態を切り替えるユニット制御部と、該ユニット制御部に電力を供給する、前記第１電源よりも電圧が低い第２電源と、をそれぞれが有する１乃至複数の分析ユニットと
前記１乃至複数の分析ユニットのそれぞれのユニット制御部に制御信号を送信する本体制御部と
を備える分析装置。
【請求項２】
前記本体制御部は、前記１乃至複数の分析ユニットのユニット制御部に、前記第１電源を非通電状態に切り替える制御信号、及び、前記第１電源を通電状態に切り替える制御信号を送信し、
前記ユニット制御部は、前記本体制御部からの前記第１電源を非通電状態に切り替える制御信号に応答して前記第１電源を非通電状態に切り替え、かつ、前記本体制御部からの前記第１電源を通電状態に切り替える制御信号に応答して前記第１電源を通電状態に切り替える、請求項１に記載の分析装置。
【請求項３】
前記本体制御部が、
前記１乃至複数の分析ユニットのうち、前記第１電源を非通電状態に切り替える対象の分析ユニットを指定する入力を受け付ける設定入力受付部と、
前記設定入力受付部に入力された分析ユニットに対して、前記第１電源を非通電状態に切り替える際に実行すべき所定の処理を記載したシャットダウンメソッドを前記ユニット制御部に設定するシャットダウンメソッド設定部とを備え、
前記ユニット制御部は、前記本体制御部から送信された前記シャットダウンメソッドファイルを受信し、前記シャットダウンメソッドファイルに記載された処理を実行する、
請求項１に記載の分析装置。
【請求項４】
前記本体制御部は、前記１乃至複数の分析ユニットにおいて前記第１電源を非通電状態に切り換える際に実行すべき所定の処理を記憶しており、
該本体制御部は、前記設定入力受付部に入力された分析ユニットに対して、前記第１電源を非通電状態に切り替える際に実行すべき所定の処理を記載したシャットダウンメソッドファイルを作成するシャットダウンメソッドファイル作成部をさらに備え、
前記シャットダウンメソッド設定部は、前記シャットダウンメソッドファイル作成部によって作成された前記シャットダウンメソッドファイルに基づいて前記シャットダウンメソッドを前記ユニット制御部に設定する、請求項３に記載の分析装置。
【請求項５】
前記本体制御部は、前記設定入力受付部に入力された分析ユニットに対する、前記第１電源を非通電状態に切り替える際の所定の処理のうち、実行に最も長時間を要する所定の処理の所要時間を表示部に表示させる表示制御部をさらに備える、請求項３に記載の分析装置。
【請求項６】
前記本体制御部は、前記ユニット制御部が前記シャットダウンメソッドファイルに記載された処理の実行を開始してから所定時間経過した後、前記設定入力受付部に入力された分析ユニットのユニット制御部に、前記第１電源を非通電状態に切り替える制御信号を送信し、
前記ユニット制御部は、前記本体制御部からの前記第１電源を非通電状態に切り替える制御信号に応答して前記第１電源を非通電状態に切り替える、請求項３に記載の分析装置。
【請求項７】
前記分析装置が液体クロマトグラフであり、
前記分析ユニットとして、送液ユニット、オートサンプラ、カラムオーブン、検出ユニットの少なくとも１つを含み、
前記送液ユニットの前記所定の処理が移動相の送液停止を含む、又は
前記オートサンプラの前記所定の処理が温調停止を含む、又は、
前記カラムオーブンの前記所定の処理が温調停止を含み、又は、
前記検出ユニットの前記所定の処理がランプ消灯又は温調停止を含む、請求項３に記載の分析装置。
【請求項８】
前記本体制御部が、前記１乃至複数の分析ユニットに対する制御信号をそのまま、各分析ユニットに送信し、
前記ユニット制御部は、受信した制御信号のうち、当該分析ユニットに関する制御信号に対応する処理を実行する、請求項１に記載の分析装置。
【手続補正２】
【補正対象書類名】明細書
【補正対象項目名】００１０
【補正方法】変更
【補正の内容】
【００１０】
上記課題を解決するために成された本発明に係る分析装置は、
動作主体である本体と、該本体に電力を供給する第１電源と、外部から入力される制御信号に応じて該本体を動作させ、また該第１電源と該本体の間の通電状態／非通電状態を切り替えるユニット制御部と、該ユニット制御部に電力を供給する、前記第１電源よりも電圧が低い第２電源と、をそれぞれが有する１乃至複数の分析ユニットと
前記１乃至複数の分析ユニットのそれぞれのユニット制御部に制御信号を送信する本体制御部と
を備える。
【手続補正３】
【補正対象書類名】明細書
【補正対象項目名】００１１
【補正方法】変更
【補正の内容】
【００１１】
本発明に係る分析装置は、１乃至複数の分析ユニットと本体制御部を備えている。各分析ユニットは、動作主体である本体と、本体に電力を供給する第１電源と、本体を動作させるとともに第１電源と本体の間の通電状態／非通電状態を切り替えるユニット制御部と、ユニット制御部に電力を供給する、第１電源よりも電圧が低い第２電源を備えている。本体制御部から各ユニットに分析動作を指示する制御信号が入力されると、各分析ユニットのユニット制御部は第１電源から本体に通電し（通電状態）、該本体を動作可能な状態とする（分析状態）。そして、ユニット制御部は本体制御部からの制御信号に応じて本体を動作させる。一方、本体制御部から各ユニットに分析待機を指示する制御信号が入力されると、各分析ユニットのユニット制御部は第１電源から本体への通電を停止し、非通電状態（シャットダウン状態）とする。このように、本発明に係る分析装置では、本体制御部への入力操作により分析ユニットのユニット制御部に所定の制御信号を送信することによってシャットダウン状態を設定することができる。このシャットダウン状態では第１電源から本体への通電が停止されるため、消費電力を抑えることができる。
一方、シャットダウン状態でも分析ユニット内で第２電源からユニット制御部への通電は維持されるため、本体制御部から分析ユニットのユニット制御部に所定の制御信号を送信することによってシャットダウン状態を解除することができる。
【手続補正４】
【補正対象書類名】明細書
【補正対象項目名】００５４
【補正方法】変更
【補正の内容】
【００５４】
（第１態様）
本発明の第１態様に係る分析装置は、
動作主体である本体と、該本体に電力を供給する第１電源と、外部から入力される制御信号に応じて該本体を動作させ、また該第１電源と該本体の間の通電状態／非通電状態を切り替えるユニット制御部と、該ユニット制御部に電力を供給する、前記第１電源よりも電圧が低い第２電源と、をそれぞれが有する１乃至複数の分析ユニットと
前記１乃至複数の分析ユニットのそれぞれのユニット制御部に制御信号を送信する本体制御部と
を備える。
【手続補正５】
【補正対象書類名】明細書
【補正対象項目名】００５５
【補正方法】変更
【補正の内容】
【００５５】
第１態様の分析装置は、１乃至複数の分析ユニットと本体制御部を備えている。各分析ユニットは、動作主体である本体と、本体に電力を供給する第１電源と、本体を動作させるとともに第１電源と本体の間の通電状態／非通電状態を切り替えるユニット制御部と、ユニット制御部に電力を供給する、第１電源よりも電圧が低い第２電源を備えている。本体制御部から各ユニットに分析動作を指示する制御信号が入力されると、各分析ユニットのユニット制御部は第１電源から本体に通電し、該本体を動作可能状態とする（分析状態）。そして、ユニット制御部は本体制御部からの制御信号に応じて本体を動作させる。一方、本体制御部から各ユニットに分析待機を指示する制御信号が入力されると、各分析ユニットのユニット制御部は第１電源から本体への通電を停止し、非通電状態（シャットダウン状態）とする。このように、本発明に係る分析装置では、本体制御部への入力操作により分析ユニットのユニット制御部に所定の制御信号を送信することによってシャットダウン状態を設定することができる。このシャットダウン状態では第１電源から本体への通電が停止されるため、消費電力を抑えることができる。
一方、シャットダウン状態でも分析ユニット内で第２電源からユニット制御部への通電は維持されるため、本体制御部から分析ユニットのユニット制御部に所定の制御信号を送信することによってシャットダウン状態を解除することができる。
【国際調査報告】
2020183597.tif 000011
2020183597.tif 000012
2020183597.tif 000013
2020183597.tif 000014